(57)【要約】      （修正有）【課題】電気掃除機の吸込みヘッドに装着される起毛布部分の埃を吸込みヘッドにより吸い込んで掃除をすることができるようにする電気掃除機の吸込ヘッド用アダプター。【解決手段】電気掃除機の吸込みヘッドＹに装着される電気掃除機の吸込みヘッド用アダプターＸであって、前記吸込みヘッドの吸込み面を覆いかつゴミを吸う開口を設けた起毛布よりなるモップ部１０と、前記モップ部を前記吸込みヘッドの吸込み面を覆った状態で前記吸込みヘッドに着脱可能に固定する固定手段とを有するように構成する。【選択図】図２
0003113678.tif 000002
【実用新案登録請求の範囲】
【請求項１】
電気掃除機の吸込みヘッドに装着されるアダプターであって、
前記吸込みヘッドの吸込み面を覆いかつゴミを通す開口を設けた起毛布よりなるモップ部と、
前記モップ部を前記吸込みヘッドの吸込み面を覆った状態で前記吸込みヘッドに着脱可能に固定する固定手段と
を有する電気掃除機の吸込みヘッド用アダプター。
【請求項２】
前記固定手段は、前記モップ部の外縁から連なり前記吸込みヘッドの側面を覆う側面部と、
前記側面部の上縁を前記吸込みヘッドの上面に固定する抜け止め部と
から構成される請求項１に記載の電気掃除機の吸込みヘッド用アダプター。
【請求項３】
前記モップ部と前記抜け止め部は、前記起毛布より形成される筒状体の両開口縁に対称に形成されるとともに、前記各開口縁にはリング状の伸縮部材が設けられ、
前記側面部は前記筒状体の中央の側面により形成される
請求項２に記載の電気掃除機の吸込みヘッド用アダプター。
【請求項４】
前記電気掃除機の吸込みヘッド用アダプターにおいて、さらに、非帯電性素材により形成される舌部を有する請求項１から３のいずれか１項に電気掃除機の吸込みヘッド用アダプター。
【考案の詳細な説明】
【技術分野】
【０００１】
本考案は電気掃除機の吸込みヘッドに装着するアダプターに関し、特に、モップと近似した効果を吸込みヘッドに与えるアダプターに関する。
【背景技術】
【０００２】
従来、電気掃除機の吸込みヘッドの吸込み面に起毛布を取り付けて、これにより、掃除機による吸引とともに細かな埃などをモップのようにふき取る動作を同時に行わせるものがある。このような起毛布は埃をふき取ることにより汚れていくために、適宜洗う必要がある。下記特許文献１には、起毛布の取り付け部分に開口を設けるとともに、この開口部を外気に連通させることで、起毛布部分の乾燥を促進し、起毛布部分の洗浄の便宜を図る考案が開示されている。
【特許文献１】特開平２００１−６１７２６号公報
【考案の開示】
【考案が解決しようとする課題】
【０００３】
ところで、上記のような起毛布を吸込みヘッドに設けるものは、起毛布部分を水を用いて洗浄することを前提としているが、起毛布部分の埃は、それほど強固に付着していない場合も多く、このような場合は起毛布の埃は掃除機で吸い取ることができると考えられる。しかし、吸込みヘッドに固定した起毛布の埃は吸込みヘッドによって吸い取ることができない。
そこで、本考案は、電気掃除機の吸込みヘッドに装着される起毛布部分の埃を吸込みヘッドにより吸い込んで掃除をすることができるようにすることを課題とする。
【課題を解決するための手段】
【０００４】
上記課題を解決するために、本考案は次のような構成を有する。
請求項１に記載の考案は、電気掃除機の吸込みヘッドに装着される電気掃除機の吸込みヘッド用アダプターであって、前記吸込みヘッドの吸込み面を覆いかつゴミを通す開口を設けた起毛布よりなるモップ部と、前記モップ部を前記吸込みヘッドの吸込み面を覆った状態で前記吸込みヘッドに着脱可能に固定する固定手段とを有するものである。
請求項２に記載の考案は、前記電気掃除機の吸込みヘッド用アダプターにおいて、前記固定手段は、前記モップ部の外縁から連なり前記吸込みヘッドの側面を覆う側面部と、前記側面部の上縁を前記吸込みヘッドの上面に固定する抜け止め部とから構成されるものである。
請求項３に記載の考案は、請求項２に記載の電気掃除機の吸込みヘッド用アダプターにおいて、前記モップ部と前記抜け止め部は、前記起毛布より形成される筒状体の両開口縁に対称に形成されるとともに、前記各開口縁にはリング状の伸縮部材が設けられ、前記側面部は前記筒状体の中央の側面により形成されるものである。
請求項４に記載の考案は、前記電気掃除機の吸込み用ヘッドアダプターにおいて、さらに、非帯電性素材により形成される舌部を有するものである。
【考案の効果】
【０００５】
請求項１に記載の考案は、前記モップ部分が固定手段により吸込みヘッドに着脱できるので、吸込みヘッドに固定して床の掃除をした後に、吸込みヘッドから前記モップ部分を取り外してモップ部分を吸込みヘッドによって掃除することができる。また、本考案を複数備えることで、汚れがひどくなって水洗いをした場合でも、他の乾いたアダプターを装着することで、常に使用することが可能となる。
請求項２に記載の考案は、吸込みヘッドの側面を覆う側面部を有することで、床の掃除の際に、柱や家具に掃除機ヘッドがぶつかっても、側面部がクッションとなり、柱や家具の衝撃による傷みを軽減することができる。
請求項３に記載の考案は、モップ部と抜け止め部を起毛布で対称に形成することで、モップ部の汚れがひどくなった場合には、抜け止め部とモップ部を入れ替えて使用することができ、より長く水洗いをせずに使用することが可能となる。
請求項４に記載の考案は、前記モップ部分を吸込みヘッドで掃除をする場合、モップ部分自体も吸込みヘッドにより吸われるために作業がはかどらないが、非帯電性素材から形成される舌部を有することで、当該舌部には埃がつきにくいので、この部分を足などで押さえることでモップ部分の移動を防止できるのでモップ部分の吸込みヘッドによる掃除をやりやすくすることができる。
【考案を実施するための最良の形態】
【０００６】
以下、本考案の実施形態について、図面を参照しながら説明する。図１に本考案の実施の形態に係る掃除機の吸込みヘッド用アダプターＸの斜視図を示す。吸い込みヘッド用アダプターＸはアクリル繊維の編物により形成された断面長楕円形の筒状体であり、モップ部１０、側面部２０、抜け止め部３０とから形成される。
モップ部１０は、筒状体の一の開口縁側に形成され、開口縁１１に沿って内部に伸縮部材としてゴムのリングが織り込まれており、開口１２が伸縮するようになっている。抜け止め部３０はモップ部１０と対称の形態であり、筒状体の逆側の開口縁側に形成され、やはり、開口縁３１に沿って内部に伸縮部材としてゴムのリングが編み込まれて開口３２が伸縮するようになっている。側面部２０は筒状体のモップ部１０と抜け止め部３０の間に位置する側面により形成される。側面部２０には非帯電性の素材である、帯電防止剤によりコーティングされた紐を両端を固定し輪状にした舌部２１が設けられている。なお、舌部２１は側面部２０の内面側にも設けられている。また、モップ部１０と抜け止め部３０とは対称であるので、使用の際には、いずれをモップ部１０としてもよい。
【０００７】
次に、このような構成を有する吸込みヘッド用アダプターＸの使用方法について説明する。図２に吸込みヘッドＹに吸込みヘッド用アダプターＸを装着した状態を表す斜視図を示す。使用者は、まず、靴下を履かせるように抜け止め部３０の開口３２から吸込みヘッドＹの一端をを差し入れて側面部２０の内側に押し当て、この状態から、開口縁３１を引っ張って伸ばし、吸込みヘッドＹの他端を開口３２の内側に入れる。これにより図２に示すように吸込みヘッドＹにヘッド用アダプターＸは固定される。すなわち、モップ部１０は、開口１２を除いて吸込みヘッドＹの吸込み面を覆い、側面部２０はモップ部１０の外縁から連なって吸込みヘッドＹの側面を覆い、抜け止め部３０は側面部２０の上縁から連なり開口縁３１が内側に縮むことで、吸込みヘッドＹの上面を覆い、これにより側面部２０を吸込みヘッドの上面に固定している。なお、側面部２０と抜け止め部３０とによりモップ部１０を吸い込みヘッドＹに固定する固定手段が構成される。
【０００８】
このように吸込みヘッドＹに吸込みヘッド用アダプターＸが装着した状態で、使用者は床面をモップ部１０で拭きながら吸込みヘッドＹを有する電気掃除機によりゴミを吸い取り掃除を行う。そして、掃除が終わると、モップ部１０が汚れているので、これを吸込みヘッドＹから取り外してモップ部１０を上にして床面に置く。そして、舌部２１を足で踏んでモップ部１０を固定し、吸込みヘッドＹを用いて電気掃除機によってモップ部１０表面の汚れを吸い取る。なお、舌部２１は非帯電性の素材により構成されているので、ほとんど埃が付着していないので、踏んでいる足はあまり汚れることがない。
このようにモップ部１０に掃除機をかけることでモップ部１０は水洗いすることなく何度も使用することができる。やがて、モップ部１０に汚れが溜まって掃除機によっても汚れが落ちなくなった場合は、上下を逆さまにしてそれまでの抜け止め部３０をモップ部１０とし、汚れたモップ部１０を抜け止め部３０として使用することができ、さらに、裏返すことで合計４面のモップ部１０を使用することができる。なお、裏面にも舌部２１が取り付けられているので、裏返しても舌部２１を踏んでモップ部１０を固定することができる。そして、すべてのモップ部になりうる部分が汚れてしまったら、全体を水洗いし乾かすことで再び使用することができる。なお、乾かす際には、舌部２１が輪状であるので、この部分をフックなどに掛けて干すことができる。
【図面の簡単な説明】
【０００９】
【図１】掃除機の吸込みヘッド用アダプターを示す斜視図である。
【図２】吸込みヘッドに吸込みヘッド用アダプターを装着した状態を示す斜視図である。
【符号の説明】
【００１０】
Ｘ  吸込みヘッド用アダプター
Ｙ  吸込みヘッド
１０  モップ部
１１  開口縁
１２  開口
２０  側面部
２１  舌部
３０  抜け止め部
【図１】
0003113678.tif 000003
【図２】
0003113678.tif 000004